【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
波長λが450ｎｍ以下の光束を発する光源手段と、前記光源手段から出射された光束を偏向手段に導光する第１の光学系と、前記偏向手段により偏向された光束を被走査面上に結像させる第２の光学系と、を具備する光走査装置において、
前記第２の光学系は、１枚以上のプラスチック製の屈折面を有する屈折光学素子と、前記屈折光学素子と同符号の１枚以上の屈折面と回折面を有する回折光学素子を有し、
前記第２の光学系の副走査断面内の合成のパワー、前記第２の光学系の結像倍率を各々φ、β、
前記第２の光学系を構成する前記偏向手段側から数えて第i番目の屈折光学素子の副走査断面内のパワー又は回折光学素子の屈折面の合成の副走査断面内のパワーをφri、
前記第２の光学系を構成する前記偏向手段側から数えて第i番目の屈折光学素子又は回折光学素子の材料の屈折率、波長変化に対する屈折率変化率を各々をni、dni／dλ、
前記第２の光学系を構成する回折光学素子の回折面の副走査断面内の合成のパワーをφdo、
前記第２の光学系の副走査方向の射出側のＦナンバーをFnoとするとき
【数１】
2006171435.tif 000001
なる条件を満足することを特徴とする光走査装置。
【請求項２】
前記第１の光学系は、前記光源手段から発せられた光束を平行光束を含む略平行光束に変換する１枚以上のコリメータレンズを有し、材料のアッベ数をνとするとき、
２５＜ν＜５５
なる条件を満足するガラスから構成されているコリメータレンズを有していることを特徴とする請求項１に記載の光走査装置。
【請求項３】
前記光源手段は、温度変化に伴う発振波長の変動である波長温度特性をｄλ/ｄｔとするとき、
0.03（nm/℃）＜ｄλ/ｄｔ＜0.10（nm/℃）
なる条件を満足することを特徴とする請求項１又は２に記載の光走査装置。
【請求項４】
前記光源手段は、複数の発光点を有するモノリシックなマルチビーム光源、もしくは複数の光源部を合成したマルチビーム光源であることを特徴とする請求項１乃至３の何れか１項に記載の光走査装置。
【請求項５】
前記第２の光学系は、前記偏向手段の偏向面の面倒れによる被走査面上でのピッチムラを抑制する面倒れ補正系を成しており、前記偏向手段と被走査面との間に前記面倒れ補正系の共役関係のずれを補正する共役関係補正手段が設けられていることを特徴とする請求項１乃至４の何れか１項に記載の光走査装置。
【請求項６】
前記共役関係補正手段は、前記第２の光学系から前記被走査面までの間の光路中に配設された折り返しミラーと、前記折り返しミラーを駆動させる駆動機構を有し、前記折り返しミラーを駆動させることにより、前記偏向手段から前記被走査面に至る光路長を変化させて共役関係を調整することを特徴とする請求項５に記載の光走査装置。
【請求項７】
前記第２の光学系の結像倍率βは、
−１．５＜β＜−０．５
なる条件を満足することを特徴とする請求項１乃至６の何れか１項に記載の光走査装置。
【請求項８】
請求項１乃至７の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項９】
請求項１乃至７の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００２６
【補正方法】変更
【補正の内容】
【００２６】
請求項１の発明の光走査装置は、波長λが450ｎｍ以下の光束を発する光源手段と、前記光源手段から出射された光束を偏向手段に導光する第１の光学系と、前記偏向手段により偏向された光束を被走査面上に結像させる第２の光学系と、を具備する光走査装置において、
前記第２の光学系は、１枚以上のプラスチック製の屈折面を有する屈折光学素子と、前記屈折光学素子と同符号の１枚以上の屈折面と回折面を有する回折光学素子を有し、
前記第２の光学系の副走査断面内の合成のパワー、前記第２の光学系の結像倍率を各々φ、β、
前記第２の光学系を構成する前記偏向手段側から数えて第i番目の屈折光学素子の副走査断面内のパワー又は回折光学素子の屈折面の合成の副走査断面内のパワーをφri、
前記第２の光学系を構成する前記偏向手段側から数えて第i番目の屈折光学素子又は回折光学素子の材料の屈折率、波長変化に対する屈折率変化率を各々をni、dni／dλ、
前記第２の光学系を構成する回折光学素子の回折面の副走査断面内の合成のパワーをφdo、
前記第２の光学系の副走査方向の射出側のＦナンバーをFnoとするとき
【数２】
2006171435.tif 000002
なる条件を満足することを特徴としている。
【手続補正３】
【補正対象書類名】明細書
【補正対象項目名】００２７
【補正方法】変更
【補正の内容】
【００２７】
請求項２の発明は請求項１の発明において、前記第１の光学系は、前記光源手段から発せられた光束を平行光束を含む略平行光束に変換する１枚以上のコリメータレンズを有し、材料のアッベ数をνとするとき、
２５＜ν＜５５
なる条件を満足するガラスから構成されているコリメータレンズを有していることを特徴としている。
【手続補正４】
【補正対象書類名】明細書
【補正対象項目名】００２８
【補正方法】変更
【補正の内容】
【００２８】
請求項３の発明は請求項１又は２の発明において、前記光源手段は、温度変化に伴う発振波長の変動である波長温度特性をｄλ/ｄｔとするとき、
0.03（nm/℃）＜ｄλ/ｄｔ＜0.10（nm/℃）
なる条件を満足することを特徴としている。
【手続補正５】
【補正対象書類名】明細書
【補正対象項目名】００２９
【補正方法】変更
【補正の内容】
【００２９】
請求項４の発明は請求項１乃至３のいずれか１項の発明において、前記光源手段は、複数の発光点を有するモノリシックなマルチビーム光源、もしくは複数の光源部を合成したマルチビーム光源であることを特徴としている。
【手続補正６】
【補正対象書類名】明細書
【補正対象項目名】００３０
【補正方法】変更
【補正の内容】
【００３０】
請求項５の発明において請求項１乃至４のいずれか１項の発明において、前記第２の光学系は、前記偏向手段の偏向面の面倒れによる被走査面上でのピッチムラを抑制する面倒れ補正系を成しており、前記偏向手段と被走査面との間に前記面倒れ補正系の共役関係のずれを補正する共役関係補正手段が設けられていることを特徴としている。
【手続補正７】
【補正対象書類名】明細書
【補正対象項目名】００３１
【補正方法】変更
【補正の内容】
【００３１】
請求項６の発明は請求項５の発明において、前記共役関係補正手段は、前記第２の光学系から前記被走査面までの間の光路中に配設された折り返しミラーと、前記折り返しミラーを駆動させる駆動機構を有し、前記折り返しミラーを駆動させることにより、前記偏向手段から前記被走査面に至る光路長を変化させて共役関係を調整することを特徴としている。
【手続補正８】
【補正対象書類名】明細書
【補正対象項目名】００３２
【補正方法】変更
【補正の内容】
【００３２】
請求項７の発明は請求項１乃至６のいずれか１項の発明において、前記第２の光学系の結像倍率βは、
−１．５＜β＜−０．５
なる条件を満足することを特徴としている。
【手続補正９】
【補正対象書類名】明細書
【補正対象項目名】００３３
【補正方法】変更
【補正の内容】
【００３３】
請求項８の発明の画像形成装置は、請求項１乃至７の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正１０】
【補正対象書類名】明細書
【補正対象項目名】００３４
【補正方法】変更
【補正の内容】
【００３４】
請求項９の発明の画像形成装置は、請求項１乃至７の何れか１項に記載の光走査装置と、外部機器から入力したコードデータを画像信号に変換して前記光走査装置に入力せしめるプリンタコントローラとを有していることを特徴としている。
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００４４
【補正方法】変更
【補正の内容】
【００４４】
３は変換光学素子としてのコリメータレンズであり、光源手段１から発せられた光束を平行光束又は略平行光束（弱収束光束もしくは弱発散光束）に変換している。尚、コリメータレンズ３は１枚以上、例えば複数枚で構成しても良い。
【手続補正１６】
【補正対象書類名】明細書
【補正対象項目名】００５５
【補正方法】変更
【補正の内容】
【００５５】
尚、結像光学系６を同符号で複数の回折光学素子を含ませて構成しても良い。
【手続補正１７】
【補正対象書類名】明細書
【補正対象項目名】００９９
【補正方法】変更
【補正の内容】
【００９９】
ここで、結像光学系の主走査方向の射出側のＦナンバーをFno、光源手段から出射した光束の波長をλ（ｎｍ）とするとき、焦点深度は、Fno２・λ・10−6（ｍｍ）に比例する。
【手続補正１８】
【補正対象書類名】明細書
【補正対象項目名】０１０２
【補正方法】変更
【補正の内容】
【０１０２】
第２の光学系のピントズレによる倒れ補正悪化に伴う面倒れによるピッチムラ量Δｐはピントズレ量をΔｓ(mm)、第２の光学系の副走査断面内の横倍率をβ（結像倍率β）、光偏向器の各偏向面の面倒れの相対差をγ（′）としたとき、次式で与えられる。
【手続補正１９】
【補正対象書類名】明細書
【補正対象項目名】０１１０
【補正方法】変更
【補正の内容】
【０１１０】
また条件式(2)を満足させることにより、色収差による面倒れ補正の共役関係のずれに起因する面倒れによるピッチムラを有効に低減（抑制）することができる。